(57)【要約】【課題】映像生成プログラムにおいて、モバイル端末において簡易な方法で素材及び編集情報を含むクリエイティブファイルを生成すると共に、映像管理装置における多種多様のクリエイティブファイルの管理を効率化すること。【解決手段】映像生成プログラムは、コンピュータに、画像データを含む素材に基づいて動画編集を行い、前記動画編集の内容を示す編集情報を生成する編集機能と、前記素材及び前記編集情報を含むクリエイティブファイルであって、メタデータとして、送信先のメタデータスキーマの記述項目に対応する内容が記述されたクリエイティブファイルを生成するファイル生成機能と、を実現させる。【選択図】  図３
2019003531.tif 000002
【特許請求の範囲】
【請求項１】
コンピュータに、
画像データを含む素材に基づいて動画編集を行い、前記動画編集の内容を示す編集情報を生成する編集機能と、
前記素材及び前記編集情報を含むクリエイティブファイルであって、メタデータとして、送信先のメタデータスキーマの記述項目に対応する内容が記述されたクリエイティブファイルを生成するファイル生成機能と、
を実現させる映像生成プログラム。
【請求項２】
前記素材は、複数の画像データと、効果データとを含み、
前記編集機能は、
前記複数の画像データのうち動画データをトリミングする機能と、
前記複数の画像データを結合して結合動画データを生成する機能と、
前記結合動画データに対して、前記効果データを適用する機能と、
を有し、
前記編集機能は、前記編集情報として、前記トリミングの内容を示すトリミング情報と、前記結合の内容を示す結合情報と、前記効果データの適用内容を示す効果情報とを含ませる、
請求項１に記載の映像生成プログラム。
【請求項３】
前記ファイル生成機能は、前記メタデータとして記述される前記内容を、前記素材にメタデータとして記述されている内容に基づいて決定するか、又は、入力部を介して入力された内容とする、
請求項１又は２に記載の映像生成プログラム。
【請求項４】
素材に基づいて動画編集を行い、前記動画編集の内容を示す編集情報を生成する編集手段と、
前記素材及び前記編集情報を含むクリエイティブファイルであって、メタデータとして、送信先のメタデータスキーマの記述項目に対応する内容が記述されたクリエイティブファイルを生成するファイル生成手段と、
を有するモバイル端末。
【請求項５】
請求項４に記載のモバイル端末と、
前記ファイル生成手段によって生成された前記クリエイティブファイルを前記モバイル端末から受信し、前記クリエイティブファイルを前記メタデータに従って分類して管理する映像管理装置と、
を有する映像管理システム。
【発明の詳細な説明】
【技術分野】
【０００１】
本発明は、映像生成プログラム、モバイル端末、及び映像管理システムに係り、特に、素材及び編集情報を含むファイルの生成及び管理を行う映像生成プログラム、モバイル端末、及び映像管理システムに関する。
【背景技術】
【０００２】
スマートフォン及びタブレット等のモバイル端末により動画データを含む素材が収集され、その素材に基づいて動画編集が行われる。その動画編集は、固定型のＰＣ（Personal Computer）としての高価なノンリニア編集機を用いて行われることが一般的である。
【先行技術文献】
【特許文献】
【０００３】
【特許文献１】特許第６０９３２８９号
【特許文献２】特許第５９０３１８７号
【発明の概要】
【発明が解決しようとする課題】
【０００４】
しかしながら、従来技術によると、操作者は、モバイル端末から固定型のＰＣに素材である動画データを取得させて当該ＰＣで動画編集を行い、素材を含むファイルを映像管理装置、即ち、サーバに送信していた。また、映像管理装置により、素材を含む多種多様のファイルを管理するのが困難であった。
【０００５】
本発明は、上述した事情を考慮してなされたもので、モバイル端末において簡易な方法で素材及び編集情報を含むファイル（以下、「クリエイティブファイル」と呼ぶ）を生成できると共に、映像管理装置における多種多様のクリエイティブファイルの管理を効率化できる映像生成プログラム、モバイル端末、及び映像管理システムを提供することを目的とする。
【課題を解決するための手段】
【０００６】
本発明の一実施形態に係る映像生成プログラムは、上述した課題を解決するために、コンピュータに、画像データを含む素材に基づいて動画編集を行い、前記動画編集の内容を示す編集情報を生成する編集機能と、前記素材及び前記編集情報を含むクリエイティブファイルであって、メタデータとして、送信先のメタデータスキーマの記述項目に対応する内容が記述されたクリエイティブファイルを生成するファイル生成機能と、を実現させる。
【発明の効果】
【０００７】
本発明に係る映像生成プログラム、モバイル端末、及び映像管理システムによれば、モバイル端末において簡易な方法で素材及び編集情報を含むクリエイティブファイルを生成できると共に、映像管理装置における多種多様のクリエイティブファイルの管理を効率化できる。
【図面の簡単な説明】
【０００８】
【図１】実施形態に係る映像管理システムの一構成例を示すブロック図。
【図２】実施形態に係る映像管理システムの機能を示すブロック図。
【図３】実施形態に係る映像管理システムのモバイル端末の動作をフローチャートとして示す図。
【図４】実施形態に係る映像管理システムのモバイル端末の動作をフローチャートとして示す図。
【図５】（Ａ）は、編集点の設定方法と、再生時間の設定方法とを説明するための図、（Ｂ）は、結合動画データの生成方法を説明するための図、（Ｃ）は、結合動画データに対する効果データの適用方法を説明するための図、（Ｄ）は、（Ｃ）に示す時刻ｔ１における再生場面を示す図、（Ｅ）は、（Ｃ）に示す時刻ｔ２における再生場面を示す図。
【図６】クリエイティブファイルの構成例を示す図。
【図７】実施形態に係る映像管理システムの動作をフローチャートとして示す図。
【発明を実施するための形態】
【０００９】
本発明に係る実施の形態について、添付図面を参照して説明する。
【００１０】
図１は、実施形態に係る映像管理システムの一構成例を示すブロック図である。
【００１１】
図１は、実施形態に係る映像管理システム１を示す。映像管理システム１は、モバイル端末１０、映像管理装置２０、及び映像処理装置３０を備える。モバイル端末１０、映像管理装置２０、及び映像処理装置３０は、有線又は無線ＬＡＮ（Local Area Network）等のネットワークＮを介して相互に通信可能なように接続される。モバイル端末１０としては、例えば、スマートフォン及びタブレット端末等の情報端末が挙げられる。映像処理装置３０としては、例えば、スマートフォン及びタブレット端末等のモバイル端末や、ノンリニア編集機等の固定型のＰＣ等の情報端末が挙げられる。
【００１２】
モバイル端末１０は、制御部１１、記憶部１２、タッチパネル１３、通信部１５、撮影部（例えば、カメラ）１６、及び録音部（例えば、マイク）１７を有する。なお、カメラ１６及びマイク１７は、必須の構成ではない。制御部１１は、共通信号伝送路としてのバスを介して、モバイル端末１０を構成する各ハードウェア構成要素に相互接続される。制御部１１は、専用のハードウェアで構成されても良いし、内蔵のプロセッサによるソフトウェア処理で各種機能を実現するように構成しても良い。
【００１３】
なお、上記説明におけるプロセッサとは、専用又は汎用のＣＰＵ（Central Processing Unit）、ＧＰＵ（Graphics Processing Unit）を含む。また、専用のハードウェアとは、特定用途向け集積回路（ＡＳＩＣ：Application Specific Integrated Circuit）、プログラマブル論理デバイス、及び、フィールドプログラマブルゲートアレイ（ＦＰＧＡ：Field Programmable Gate Array）等の回路を含む。上記プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）等が挙げられる。
【００１４】
ここでは一例として、プロセッサによるソフトウェア処理によって制御部１１が各種機能を実現する場合について説明する。制御部１１は、記憶部１２に記憶されたプログラム、又は、制御部１１のプロセッサ内に直接組み込まれたプログラムを読み出し実行することで、各機能を実現する。
【００１５】
なお、制御部１１は、単一のプロセッサによって構成されても良いし、複数の独立したプロセッサの組み合わせによって構成されても良い。後者の場合、複数のプロセッサにそれぞれ対応する複数の記憶部１２が設けられると共に、各プロセッサにより実行されるプログラムが当該プロセッサに対応する記憶回路に記憶される構成でも良い。別の例としては、１個の記憶部１２が複数のプロセッサの各機能に対応するプログラムを一括的に記憶する構成でも良い。
【００１６】
記憶部１２は、例えば、ＲＡＭ（Random Access Memory）、フラッシュメモリ（Flash Memory）等の半導体メモリ素子、ハードディスク、光ディスク等によって構成される。記憶部１２は、ＵＳＢ（Universal Serial Bus）メモリ及びＤＶＤ（Digital Video Disk）等の可搬型メディアを脱着自在な回路として構成されても良い。記憶部１２は、制御部１１において実行される各種プログラム（アプリケーションプログラムの他、ＯＳ（Operating System）等も含まれる）、プログラムの実行に必要な文字情報、及び画像データを記憶する。また、記憶部１２には、ＯＳを制御するための各種コマンドや、タッチパネル１３からの入力を支援するＧＵＩ（Graphical User Interface）のプログラムを記憶する。
【００１７】
タッチパネル１３は、制御部１１による制御の下、各種情報を表示すると共に、操作者が指やスタイラスペンを用いてタッチパネル１３にタッチしたことを検出し、タッチパネル１３に表示している表示内容とタッチされた位置とを比較することにより、操作者からの各種入力を受け付ける。タッチパネル１３は、操作者により入力された入力情報を制御部１２に出力する。
【００１８】
タッチパネル１３は、入力部の機能をソフトキーとして表示部に兼ね備える。表示部は、液晶ディスプレイパネル、プラズマディスプレイパネル、及び有機ＥＬ（Electro Luminescence）パネル等の表示装置である。表示部は、制御部１１の制御に従って文字や画像等を表示する。
【００１９】
通信部１５は、ネットワークＮ上の外部装置と無線で（又は有線で）情報の送受信を行う。例えば、通信部１５は、モバイル端末１０によって生成されたＭＰ４等のファイル形式の映像コンテンツや、後述するクリエイティブファイルを映像管理装置２０に送信したりして、外部装置と通信動作を行う。
【００２０】
カメラ１６は、撮像素子で撮影した画像データをデジタルデータとして記憶部１２に記憶させる機器である。カメラ１６は、素材である画像データとして、静止画データや、動画データを収集する。マイク１７は、入力された音声の波形を電気の信号に変換し、音声をデジタル変換して記憶部１２に記憶させる機器である。マイク１７は、素材である音声データを収集する。なお、動画データは、映像のみから成るデータを指す場合もあり、映像と、マイク１７による音声とが同期されたデータを指す場合もある。音声データは、音声のみから成るデータを指す。
【００２１】
映像管理装置２０は、クラウドやオンプレミスのサーバとして機能する。映像管理装置２０は、制御部２１、記憶部２２、入力部２３、表示部２４、及び通信部２５を有する。制御部２１は、共通信号伝送路としてのバスを介して、映像管理装置２０を構成する各ハードウェア構成要素に相互接続される。
【００２２】
映像管理装置２０の制御部２１、記憶部２２、及び通信部２５の構成は、モバイル端末１０の制御部１１、記憶部１２、及び通信部１５の構成と同等であるので説明を省略する。
【００２３】
入力部２３は、操作者によって操作が可能なポインティングデバイス等の入力デバイスからの信号を入力するデバイスである。操作者により入力部２３が操作されると、入力部２３はその操作に応じた入力信号を生成して制御部２１に出力する。
【００２４】
表示部２４は、液晶ディスプレイパネル、プラズマディスプレイパネル、及び有機ＥＬ（Electro Luminescence）パネル等の表示デバイスである。表示部２４は、制御部２１の制御に従って画像データを表示する。
【００２５】
映像処理装置３０は、制御部３１、記憶部３２、入力部３３、表示部３４、及び通信部３５を有する。制御部３１は、共通信号伝送路としてのバスを介して、映像処理装置３０を構成する各ハードウェア構成要素に相互接続される。映像処理装置３０としては、いわゆるノンリニア編集機を想定している。
【００２６】
映像処理装置３０の制御部３１、記憶部３２、及び通信部３５の構成は、モバイル端末１０の制御部１１、記憶部１２、及び通信部１５の構成と同等であるので説明を省略する。また、映像処理装置３０の入力部３３及び表示部３４の構成は、映像管理装置２０の入力部２３及び表示部２４の構成と同等であるので説明を省略する。
【００２７】
図２は、映像管理システム１の機能を示すブロック図である。
【００２８】
モバイル端末１０の制御部１１は、動画編集プログラムを実行することで、編集手段１１１及びファイル生成手段１１２として機能する。なお、手段１１１〜１１２の全部又は一部は、モバイル端末１０にＡＳＩＣ等のハードウェアとして備えられるものであっても良い。
【００２９】
編集手段１１１は、記憶部１２に記憶された素材から、画像データを含む１個又は複数の素材を設定する機能を有する。以下、編集手段１１１が、画像データを含む複数の素材を設定する場合について説明する。また、編集手段１１１は、設定された複数の素材に基づいて、動画編集を行う機能を有する。編集手段１１１は、動画編集の内容を示す編集情報（ＥＤＬ：Edit Decision List）を生成する機能を有する。
【００３０】
具体的には、編集手段１１１は、設定された複数の素材のうち動画データをトリミング（切り出し）する機能を有する。編集手段１１１は、設定された複数の素材のうち複数の画像データを結合して結合動画データを生成する機能を有する。画像データは、静止画データ及び動画データのうち少なくとも一方を含む。編集手段１１１は、生成された結合動画データに対して、設定された素材のうち効果データを適用する機能を有する。効果データは、音声データやオーバーレイデータを含む。編集手段１１１は、動画編集の内容を示す編集情報（図６に図示）を生成する機能を有する。編集情報は、例えば、前述のトリミング内容を示すトリミング情報と、前述の結合内容を示す結合情報と、前述の効果データの適用内容を示す効果情報とを含む。
【００３１】
ファイル生成手段１１２は、クリエイティブファイルを生成する機能を有する。ここで、クリエイティブファイルとは、編集手段１１１によって設定された素材と、編集手段１１１によって生成された編集情報とを含むファイルであって、さらに、このファイルのメタデータとして、送信先（例えば、映像管理装置２０）のメタデータスキーマの記述項目に対応する内容が記述されたメタデータを含むファイルである。また、メタデータスキーマとは、メタデータの記述項目や記述形式等を決定する規則を意味する。モバイル端末１０を含む多数のモバイル端末において、映像管理装置２０が予め決定したメタデータスキーマに従って統一された記述項目に対応する内容をメタデータとして記述することで、映像管理装置２０では多数のモバイル端末によってそれぞれ記述されたメタデータの相互運用性を実現することができる。このように、統一されたメタデータスキーマを利用することで、記述対象とするリソースの分野や言語の違いに関わらずメタデータを統一的に記述することができ、ウェブ上のリソース発見の効率化を図ることができる。
【００３２】
なお、制御部１１が有する手段１１１〜１１２の詳細については、図２〜図６を用いて後述する。
【００３３】
映像管理装置２０の制御部２１は、プログラムを実行することで、分類手段２１１及び取得手段２１２として機能する。なお、手段２１１〜２１２の全部又は一部は、映像管理装置２０にＡＳＩＣ等のハードウェアとして備えられるものであっても良い。
【００３４】
分類手段２１１は、モバイル端末１０から送信されたクリエイティブファイルを、メタデータに含まれる記述内容に基づいて分類して記憶部２２に登録する機能を有する。取得手段２１２は、映像処理装置３０によって要求された記述内容をキーとして、記憶部２２に記憶されているクリエイティブファイルのメタデータを検索する。そして、要求された記述内容に該当するメタデータが含まれるクリエイティブファイルを記憶部２２から読み出し、そのクリエイティブファイルを、通信部２５を介して映像処理装置３０に送信する機能を有する。
【００３５】
なお、制御部２１が有する手段２１１〜２１２の詳細については、図７を用いて後述する。
【００３６】
映像処理装置３０の制御部３１は、プログラムを実行することで、要求手段３１１、再編集手段３１２、及びファイル生成手段３１３として機能する。なお、手段３１１〜３１３の全部又は一部は、映像処理装置３０にＡＳＩＣ等のハードウェアとして備えられるものであっても良い。
【００３７】
要求手段３１１は、所定の記述内容をメタデータとして含むクリエイティブファイルの取得を映像管理装置２０に要求する機能を有する。再編集手段３１２は、クリエイティブファイルを利用し、モバイル端末１０による設定と同じ設定で、モバイル端末１０による登録時の状態から動画の再編集を行う機能を有する。ファイル生成手段３１３は、ファイル生成手段１１２と同様な処理により、再編集手段３１２によって設定された素材と、再編集手段３１２によって生成された編集情報とを含み、メタデータが記述されたクリエイティブファイルを生成する機能を有する。
【００３８】
なお、制御部３１が有する手段３１１〜３１３の詳細については、図７を用いて後述する。
【００３９】
図３及び図４は、映像管理システム１のモバイル端末１０の動作をフローチャートとして示す図である。
【００４０】
モバイル端末１０の記憶部１２には、素材として、画像データや効果データが登録されている。画像データは、モバイル端末１０のカメラ１６による撮影で収集されたデータであるか、又は、モバイル端末１０の外部のカメラ（図示省略）による撮影によって収集されたデータである。画像データは、撮影日時等の一般的な記述項目を示すメタデータ（クリエイティブファイルに記述されるメタデータと区別するために、以下、「素材メタデータ」と呼ぶ）と共にデータファイルを形成する。
【００４１】
効果データは、ＢＧＭ（Back Ground Music）又はナレーションとして使用される音声データや、オーバーレイとしての効果を付加可能なテキストデータ、テロップ、及びアノテーション等のオーバーレイデータを含む。音声データは、モバイル端末１０のマイク１７による録音で収集されたデータであるか、又は、外部のマイク（図示省略）による録音や素材を集めて製作されたデータである。効果データは、素材メタデータと共にデータファイルを形成する。
【００４２】
まず、図３を用いてモバイル端末１０の動作について説明する。モバイル端末１０の編集手段１１１は、ステップＳＴ１ａ〜ＳＴ１ｄにおいて、複数の素材に基づく動画編集を行う（ステップＳＴ１）。ステップＳＴ１において、編集手段１１１は、記憶部１２に記憶された素材から所定の素材を設定する（ステップＳＴ１ａ）。以下、所定の素材として、４個の素材、例えば、画像データとしての［１］静止画データ及び［２］動画データと、効果データとしての［３］音声データ及び［４］テキストデータとを設定する場合について説明する。しかしながら、設定される所定の素材は、画像データを含む１個以上の素材であれば良い。例えば、設定される所定の素材は、１個の動画データのみから成る１個の素材であっても良いし、１個の静止画データと１個の音声データとから成る２個の素材であっても良いし、２個の静止画データと１個の音声データとから成る３個の素材であっても良い。
【００４３】
編集手段１１１は、モバイル端末１０の操作者の操作により、ステップＳＴ１ａによって設定された動画データをトリミングする（ステップＳＴ１ｂ）。具体的には、編集手段１１１は、ステップＳＴ１ｂにおいて、動画データについて、編集点（ＩＮ又はＯＵＴ）を設定する。なお、静止画データについては、編集手段１１１は、再生時間を設定しても良い。また、編集手段１１１は、モバイル端末１０の操作者の操作により、ステップＳＴ１ａによって設定された複数の画像データを結合して結合動画データを生成する（ステップＳＴ１ｃ）。なお、ステップＳＴ１ｂとステップＳＴ１ｃとの順序は問わない。
【００４４】
図５（Ａ）は、編集点の設定方法と、再生時間の設定方法とを説明するための図である。図５（Ｂ）は、結合動画データの生成方法を説明するための図である。
【００４５】
図５（Ａ）に示すように、モバイル端末１０のタッチパネル１３に、ステップＳＴ１ａによって設定された３個の画像データＩ１〜Ｉ３が画像として表示される。画像データＩ１，Ｉ３は動画データに対応し、画像データＩ２は、静止画データに対応する。動画データＩ１の再生総合時間は２分間である。モバイル端末１０の操作者の操作により、編集点（ＩＮ）としての時刻３０秒から、編集点（ＯＵＴ）としての時刻１分３０秒までの１分間が動画データＩ１からトリミングされる。また、動画データＩ３の再生総合時間は３分間である。モバイル端末１０の操作者の操作により、編集点（ＩＮ）としての時刻３０秒から、編集点（ＯＵＴ）としての時刻２分００秒までの１分３０秒間が動画データＩ３からトリミングされる。一方で、モバイル端末１０の操作者の操作により、静止画データＩ２の再生時間が３秒間と設定される。
【００４６】
図５（Ｂ）に示すように、モバイル端末１０のタッチパネル１３に、ステップＳＴ１ａによって設定された３個の画像データＩ１〜Ｉ３を示す画像が表示される。モバイル端末１０の操作者の操作により、適宜、画像データＩ１〜Ｉ３の順序が並び替えられ、結合動画データＭが生成される。
【００４７】
図３の説明に戻って、編集手段１１１は、モバイル端末１０の操作者の操作により、ステップＳＴ１ｃによって生成された結合動画データに対して、ステップＳＴ１ａによって設定された効果データを適用する（ステップＳＴ１ｄ）。具体的には、編集手段１１１は、ステップＳＴ１ｃによって生成された結合動画データに対して、効果データとしての音声データや、効果データとしてのテキストデータを適用する。
【００４８】
図５（Ｃ）は、結合動画データに対する効果データの適用方法を説明するための図である。
【００４９】
図５（Ｃ）に示すように、画像データＩ１、Ｉ２、Ｉ３の順に配列された、再生総合時間が２分３３秒の結合動画データＭに対して、時刻１５秒から時刻１分２０秒までの間に音声データＢ１が再生されるように、音声データＢ１が適用される。また、再生総合時間が２分３３秒の結合動画データＭに対して、時刻１分１０秒から時刻１分３０秒までの間に、所定の大きさ及び色彩で表現されたテキストデータＴ１が表示されるように、テキストデータＴ１が適用される。
【００５０】
図５（Ｄ）は、図５（Ｃ）に示す時刻ｔ１における再生場面を示す図である。図５（Ｅ）は、図５（Ｃ）に示す時刻ｔ２における再生場面を示す図である。
【００５１】
図５（Ｄ）に示すように、時刻ｔ１において、モバイル端末１０のタッチパネル１３上で、結合動画データＭのうち、動画データＩ１の部分が再生されている。また、時刻ｔ１において、音声データがＢＧＭ又はナレーションとして再生されている。
【００５２】
また、図５（Ｅ）に示すように、時刻ｔ２において、モバイル端末１０のタッチパネル１３上で、結合動画データＭのうち、動画データＩ３の部分が再生されている。また、時刻ｔ２において、音声データＢ１がＢＧＭ又はナレーションとして再生されている。さらに、時刻ｔ２において、モバイル端末１０のタッチパネル１３上で、テキストデータＴ１「注意！」が表示されている。
【００５３】
図３の説明に戻って、編集手段１１１は、モバイル端末１０の操作者の操作により、ステップＳＴ１ｂによるトリミング内容を示すトリミング情報と、ステップＳＴ１ｃによる結合内容を示す結合情報と、ステップＳＴ１ｄによる効果データの適用内容を示す効果情報とを含む編集情報（図６に図示）を生成する（ステップＳＴ１ｅ）。
【００５４】
ファイル生成手段１１２は、モバイル端末１０の操作者の操作により、クリエイティブファイルを生成するか否か、即ち、動画編集を終了（完了又は中断）するか否かを判断する（ステップＳＴ２）。ステップＳＴ２の判断にてＮＯ、即ち、動画編集を終了しないと判断される場合、ステップＳＴ１ａに戻り、動画編集が継続される。一方で、ステップＳＴ２の判断にてＹＥＳ、即ち、動画編集を終了すると判断される場合、ファイル生成手段１１２は、ステップＳＴ１による動画編集に基づく素材及び編集情報を含み、メタデータとして、送信先である映像管理装置２０のメタデータスキーマの記述項目に対応する内容を記述することでクリエイティブファイルを生成し、クリエイティブファイルを記憶部１２に登録する（ステップＳＴ３）。このように、モバイル端末１０において、簡易な方法でクリエイティブファイルを生成できる。
【００５５】
例えば、ファイル生成手段１１２は、映像管理装置２０のメタデータスキーマの記述項目が「製品名」であれば、対応する記述内容を「製品名○○」とすることができ、記述項目が「製造工程名」であれば、対応する記述内容を「鋳造」とすることができる。クリエイティブファイルのメタデータとして記述される記述内容は、ステップＳＴ１ａによって設定された複数の素材のいずれかに素材メタデータ（例えば、Exif）として記述されている内容に基づいて決定されても良いし、クリエイティブファイルの生成時にタッチパネル１３を介して記述項目を表示させ、表示を基に操作者によりタッチパネル１３を介して入力された内容であっても良い。
【００５６】
図６は、クリエイティブファイルの構成例を示す図である。
【００５７】
図６に示すように、クリエイティブファイルは、ステップＳＴ１ａによって設定された素材Ｉ１〜Ｉ３，Ｂ１，Ｔ１と、編集情報と、映像管理装置２０のメタデータスキーマの記述項目に対応する内容が記述されたメタデータとを含む。編集情報は、トリミング情報として、各動画データのトリミングにおける編集点（ＩＮ及びＯＵＴ）を含む。編集情報は、結合情報として、複数の画像データの再生順序を含む。編集情報は、効果情報として、結合動画データＭ（図５（Ｃ）に図示）に対する効果データとしての音声データＢ１が適用される位置（時刻）を含む。また、編集情報は、効果情報として、結合動画データＭ（図５（Ｃ）に図示）に対する効果データとしてのテキストデータＴ１が適用される位置（時刻）と、画面上の座標とを含む。
【００５８】
図３の説明に戻って、ファイル生成手段１１２は、モバイル端末１０の操作者の操作により、ステップＳＴ３によって生成されたクリエイティブファイルを映像管理装置２０に送信するか否かを判断する（ステップＳＴ４）。ステップＳＴ４の判断にてＹＥＳ、即ち、テップＳＴ４によって生成されたクリエイティブファイルを映像管理装置２０に送信すると判断された場合、ファイル生成手段１１２は、クリエイティブファイルを映像管理装置２０に送信、即ち、アップロードする（ステップＳＴ５）。つまり、映像管理装置２０には、モバイル端末１０から送信された多種多様なクリエイティブファイルが送信されることになる。なお、ファイル生成手段１１２は、ステップＳＴ５において、クリエイティブファイルを送信すると共に、ステップＳＴ１ｃによって生成された結合動画データにステップＳＴ１ｄによって効果データが適用された完全パッケージを、ＭＰ４等のファイル形式の映像コンテンツとして映像管理装置２０やその他の装置に送信しても良い。
【００５９】
一方で、ステップＳＴ４の判断にてＮＯ、即ち、ステップＳＴ４によって生成されたクリエイティブファイルを映像管理装置２０に送信しないと判断された場合、図４に進む。モバイル端末１０のファイル生成手段１１２は、動画編集が再開されるまで待機する（ステップＳＴ６）。モバイル端末１０の操作者の操作により、ステップＳＴ６にて動画編集を再開すると判断される場合、編集手段１１１は、ステップＳＴ４によって記憶部１２に登録されたクリエイティブファイル（図６に図示）を読み出す（ステップＳＴ７）。そして、編集手段１１１は、モバイル端末１０の操作者の操作により、ステップＳＴ７によって読み出されたクリエイティブファイルの素材及び編集情報を基にして、素材の設定（ステップＳＴ１ａ相当）と、動画データのトリミング（ステップＳＴ１ｂ相当）と、結合動画データの生成（ステップＳＴ１ｃ相当）と、効果データの適用（ステップＳＴ１ｄ相当）とのうち少なくとも１個を行い、編集情報の生成（ステップＳＴ１ｅ相当）を再開する（ステップＳＴ８）。クリエイティブファイルには、素材の他に、トリミング情報、結合情報、及び効果情報を含む編集情報が含まれているので（図６参照）、モバイル端末１０の操作者は、ステップＳＴ８において、再度の設定を行うことなく、中断されていた動画編集を再開できる。
【００６０】
ファイル生成手段１１２は、モバイル端末１０の操作者の操作により、ステップＳＴ８による動画編集に従ってクリエイティブファイルを生成するか否か、即ち、動画編集を終了（完了又は中断）するか否かを判断する（ステップＳＴ９）。ステップＳＴ９の判断にてＮＯ、即ち、動画編集を終了しないと判断される場合、ステップＳＴ８に戻り、動画編集が継続される。一方で、ステップＳＴ９の判断にてＹＥＳ、即ち、動画編集を終了すると判断される場合、ファイル生成手段１１２は、ステップＳＴ８による動画編集に基づく素材及び編集情報を含み、メタデータとして、送信先である映像管理装置２０のメタデータスキーマの記述項目に対応する内容を記述することでクリエイティブファイルを生成し、クリエイティブファイルを記憶部１２に登録する（図３のステップＳＴ３）。
【００６１】
以上のように、モバイル端末１０によれば、映像管理装置２０のメタデータスキーマの記述項目に対応する内容が記述されたメタデータを含むクリエイティブファイル（図６に図示）を生成することができる。また、モバイル端末１０によれば、映像管理装置２０において記述内容に応じてクリエイティブファイルを管理できるので、映像管理装置２０における多種多数のクリエイティブファイルの管理を効率化できる。また、モバイル端末１０によれば、編集情報を含むクリエイティブファイルを生成することにより、モバイル端末１０において中断された動画編集の途中の状態を、動画編集の再開後に再現できる（図４示すステップＳＴ７〜ＳＴ９）。
【００６２】
さらに、モバイル端末１０によれば、モバイル端末１０にて素材に対して直接に編集点を付与することができるので、従来のように映像処理装置３０を持ち歩いたり、映像処理装置３０に素材を取り込んだりする必要がなくなり時間も短縮できる。よって、モバイル端末１０によれば、操作者による動画編集作業の簡易化、効率化が図れる。
【００６３】
続いて、図３に示すステップＳＴ５によってモバイル端末１０の外部にある映像管理装置２０にクリエイティブファイル（図６に図示）が送信された後の動作について説明する。
【００６４】
図７は、映像管理システム１の動作をフローチャートとして示す図である。
【００６５】
モバイル端末１０のファイル生成手段１１２は、モバイル端末１０の操作者の操作により、クリエイティブファイルを、通信部１５を介して映像管理装置２０に送信する（ステップＳＴ５）。映像管理装置２０の分類手段２１１は、クリエイティブファイルを、メタデータに含まれる記述内容に基づいて分類して記憶部２２に登録する（ステップＳＴ１１）。例えば、分類手段２１１は、同一の記述内容「製品名○○」のファイルは同一のフォルダに格納すれば良い。このように、映像管理装置２０は、クリエイティブファイルを、映像管理装置２０のメタデータスキーマの記述項目に対応する内容に従って分類して管理することができる。
【００６６】
映像処理装置３０の要求手段３１１は、映像処理装置３０の操作者の操作により、所定の記述内容をメタデータとして含むクリエイティブファイルの送信を映像管理装置２０に要求する（ステップＳＴ１２）。例えば、要求手段３１１は、同一の記述内容「製品名○○」を含むクリエイティブファイルの送信を映像管理装置２０に要求する。映像管理装置２０の取得手段２１２は、記憶部２２から、ステップＳＴ１２によって要求された記述内容をメタデータとして含むクリエイティブファイルを読み出す（ステップＳＴ１３）。そして、取得手段２１２は、ステップＳＴ１３によって読み出されたクリエイティブファイルを、通信部２５を介して映像処理装置３０に送信、即ち、ダウンロードする（ステップＳＴ１４）。
【００６７】
映像処理装置３０の再編集手段３１２は、映像処理装置３０の操作者の操作により、ステップＳＴ１４によって送信されたクリエイティブファイルの素材及び編集情報に従って、素材の再設定（ステップＳＴ１ａ相当）と、動画データの再トリミング（ステップＳＴ１ｂ相当）と、結合動画データの再生成（ステップＳＴ１ｃ相当）と、効果データの再適用（ステップＳＴ１ｄ相当）とのうち少なくとも１個を行う（ステップＳＴ１５）。なお、再編集手段３１２は、編集情報の再生成（図３のステップＳＴ１ｅ相当）を行っても良い。つまり、再編集手段３１２は、図３のステップＳＴ１や図４のステップＳＴ８において一旦は完了した動画編集に対して、別人等による再編集を行うことができる。
【００６８】
映像処理装置３０のファイル生成手段３１３は、ステップＳＴ１５による再編集に基づく素材及び編集情報を含み、メタデータとして、送信先である映像管理装置２０のメタデータスキーマの記述項目に対応する内容を記述することでクリエイティブファイルを生成し、クリエイティブファイルを記憶部３２に登録する（ステップＳＴ１６）。ファイル生成手段３１３は、映像処理装置３０の操作者の操作により、ステップＳＴ１６によって生成されたクリエイティブファイルを映像管理装置２０に送信、即ち、アップロードする（ステップＳＴ１７）。つまり、映像管理装置２０には、モバイル端末１０や映像処理装置３０から送信された多種多様なクリエイティブファイルが送信されることになる。なお、ファイル生成手段３１３は、ステップＳＴ１７において、クリエイティブファイルを送信すると共に、ステップＳＴ１５によって生成された完全パッケージを、ＭＰ４等のファイル形式の映像コンテンツとして映像管理装置２０やその他の装置に送信しても良い。
【００６９】
以上のように、モバイル端末１０を含む映像管理システム１によれば、映像管理装置２０のメタデータスキーマの記述項目に対応する内容が記述されたメタデータを含むクリエイティブファイル（図６に図示）を生成することができる。また、モバイル端末１０を含む映像管理システム１によれば、映像管理装置２０において記述内容に応じてクリエイティブファイルを管理できるので、映像管理装置２０における多数多様のクリエイティブファイルの管理を効率化できる。また、モバイル端末１０を含む映像管理システム１によれば、編集情報を含むクリエイティブファイルを生成することにより、映像処理装置３０において簡易に再編集を行うことができる。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても良い。
【符号の説明】
【００７１】
１…映像管理システム
１０…モバイル端末
１１…制御部
１２…記憶部
１３…タッチパネル
２０…映像管理装置
３０…映像処理装置
１１１…編集手段
１１２…ファイル生成手段
【図１】
2019003531.tif 000003
【図２】
2019003531.tif 000004
【図３】
2019003531.tif 000005
【図４】
2019003531.tif 000006
【図５】
2019003531.tif 000007
【図６】
2019003531.tif 000008
【図７】
2019003531.tif 000009